(57)【要約】【課題】無線送受信機における運用周波数の調整の利便性を向上する技術を提供する。【解決手段】無線送受信機１は、表示画面６ａを有するLCD６と、表示画面６ａに、運用周波数を含む所定の周波数範囲の信号強度の周波数分布を表示するようにLCD６を制御するLCD制御部２３と、表示画面６ａに対するユーザーの操作を検出するタッチパネル７及びタッチパネル制御部２５と、受信周波数に対応する受信周波数情報と、送信周波数に対応する送信周波数情報と、を記憶する運用周波数記憶部２１と、タッチパネル７及びタッチパネル制御部２５によって検出された操作の操作位置に対応する周波数の情報に基づいて、運用周波数記憶部２１に記憶されている受信周波数情報又は運用周波数記憶部２１に記憶されている送信周波数情報を更新する制御部２０と、を備える。【選択図】図８
2014036374.tif 000002
【特許請求の範囲】
【請求項１】
送信周波数と受信周波数とが同一もしくは異なる運用周波数で送受信を行う無線送受信機であって、
表示画面を有する表示手段と、
前記表示画面に、前記運用周波数を含む所定の周波数範囲の信号強度の周波数分布を表示するように前記表示手段を制御する表示制御手段と、
前記表示画面に対するユーザーの操作を検出する操作検出手段と、
前記受信周波数に対応する受信周波数情報と、前記送信周波数に対応する送信周波数情報と、を記憶する周波数情報記憶手段と、
前記操作検出手段によって検出された前記操作の操作位置に対応する周波数の情報に基づいて、前記周波数情報記憶手段に記憶されている前記受信周波数情報又は前記周波数情報記憶手段に記憶されている前記送信周波数情報を更新する更新手段と、
前記周波数情報記憶手段に記憶されている前記受信周波数情報で受信し、及び前記周波数情報記憶手段に記憶されている前記送信周波数情報で送信を行う無線送受信を行う無線送受信手段と、
を備えた、
無線送受信機。
【請求項２】
請求項１に記載の無線送受信機であって、
前記表示制御手段は、前記表示画面に、前記所定の周波数範囲の信号強度の周波数分布をスペクトラム波形表示形式又はウォーターフォール表示形式で表示するように前記表示手段を制御する、
無線送受信機。
【請求項３】
請求項１又は２に記載の無線送受信機であって、
前記表示制御手段は、前記操作位置に対応する周波数が前記表示画面の略中央となるように前記表示手段を制御する、
無線送受信機。
【請求項４】
請求項１〜３の何れかに記載の無線送受信機であって、
前記操作は、前記表示画面に対する接触操作である、
無線送受信機。
【請求項５】
請求項４に記載の無線送受信機であって、
前記更新手段は、
前記接触操作が開始したら、前記接触操作の前記操作位置に基づいて前記周波数情報記憶手段に記憶されている前記受信周波数情報を更新し、
前記接触操作の終了以降、前記接触操作の前記操作位置に基づいて前記周波数情報記憶手段に記憶されている前記送信周波数情報を更新する、
無線送受信機。
【請求項６】
請求項４に記載の無線送受信機であって、
前記更新手段は、
前記接触操作が開始したら、前記接触操作の前記操作位置に基づいて前記周波数情報記憶手段に記憶されている前記受信周波数情報を更新し、
前記接触操作の終了以降、前記周波数情報記憶手段に記憶されている前記受信周波数情報を前記周波数情報記憶手段に記憶されている前記送信周波数情報に複写する、
無線送受信機。
【請求項７】
請求項４に記載の無線送受信機であって、
前記受信周波数情報を記憶するための補助周波数情報記憶手段を更に有し、
前記更新手段は、
前記接触操作が開始したら、開始時に前記周波数情報記憶手段に記憶されている前記受信周波数情報を前記補助周波数情報記憶手段に保存し、その後、前記接触操作の前記操作位置に基づいて前記周波数情報記憶手段に記憶されている前記受信周波数情報を更新し、
前記接触操作の終了以降、前記接触操作の前記操作位置に基づいて前記周波数情報記憶手段に記憶されている前記送信周波数情報を更新し、その後、前記補助周波数情報記憶手段に記憶されている前記受信周波数情報を用いて前記周波数情報記憶手段に記憶されている前記受信周波数情報を前記接触操作前の状態に復元する、
無線送受信機。
【請求項８】
請求項４に記載の無線送受信機であって、
前記受信周波数情報を記憶するための補助周波数情報記憶手段を更に有し、
前記更新手段は、
前記接触操作が開始したら、開始時に前記周波数情報記憶手段に記憶されている前記受信周波数情報を前記補助周波数情報記憶手段に保存し、その後、前記接触操作の前記操作位置に基づいて前記周波数情報記憶手段に記憶されている前記受信周波数情報を更新し、
前記接触操作の終了以降、前記周波数情報記憶手段に記憶されている前記受信周波数情報を前記送信周波数情報に複写し、その後、前記補助周波数情報記憶手段に記憶されている前記受信周波数情報を用いて前記周波数情報記憶手段に記憶されている前記受信周波数情報を前記接触操作前の状態に復元する、
無線送受信機。
【請求項９】
請求項５〜８の何れかに記載の無線送受信機であって、
前記更新手段は、前記接触操作中、前記接触操作の前記操作位置に基づいて前記周波数情報記憶手段に記憶されている前記受信周波数情報を更新する、
無線送受信機。
【請求項１０】
送信周波数と受信周波数とが同一もしくは異なる運用周波数で送受信を行う無線送受信機の運用周波数設定方法であって、
ユーザーが、前記運用周波数を含む所定の周波数範囲の信号強度の周波数分布が表示された表示画面に対して操作するステップと、
前記操作の操作位置に対応する周波数に基づいて、前記受信周波数又は前記送信周波数を更新するステップと、
更新された前記受信周波数で受信し、更新された送信周波数で送信を行うステップと、
を含む、
運用周波数設定方法。
【請求項１１】
請求項１０に記載の運用周波数設定方法であって、
前記表示画面には、前記所定の周波数範囲の信号強度の周波数分布がスペクトラム波形表示形式又はウォーターフォール表示形式で表示されている、
運用周波数設定方法。
【発明の詳細な説明】
【技術分野】
【０００１】
本発明は、無線送受信機、及び運用周波数設定方法に関する。
【背景技術】
【０００２】
この種の技術として、特許文献１では、スペクトラム・アナライザの表示画面にタッチパネルを設けることで、スペクトラムを部分的に拡大表示させたり、スクロールさせたりできるようになっている。
【先行技術文献】
【特許文献】
【０００３】
【特許文献１】特開２００４−３４７３２０号公報
【発明の概要】
【発明が解決しようとする課題】
【０００４】
一般的に、受信信号の信号強度の周波数分布を表示画面に表示可能な無線送受信機においては、表示画面に映し出された信号強度の周波数分布を頼りに、所定のツマミを回転させることで運用周波数の調整を行なっていた。この運用周波数の調整については、従前より利便性の向上が求められている。
【０００５】
しかしながら、特許文献１は、信号を解析するのに特化したものであるから、運用周波数の調整の利便性の向上に寄与するものがない。
【０００６】
本願発明の目的は、無線送受信機における運用周波数の調整の利便性を向上する技術を提供することにある。
【課題を解決するための手段】
【０００７】
本願発明の第１の観点によれば、送信周波数と受信周波数とが同一もしくは異なる運用周波数で送受信を行う無線送受信機であって、表示画面を有する表示手段と、前記表示画面に、前記運用周波数を含む所定の周波数範囲の信号強度の周波数分布を表示するように前記表示手段を制御する表示制御手段と、前記表示画面に対するユーザーの操作を検出する操作検出手段と、前記受信周波数に対応する受信周波数情報と、前記送信周波数に対応する送信周波数情報と、を記憶する周波数情報記憶手段と、前記操作検出手段によって検出された前記操作の操作位置に対応する周波数の情報に基づいて、前記周波数情報記憶手段に記憶されている前記受信周波数情報又は前記周波数情報記憶手段に記憶されている前記送信周波数情報を更新する更新手段と、前記周波数情報記憶手段に記憶されている前記受信周波数情報で受信し、及び前記周波数情報記憶手段に記憶されている前記送信周波数情報で送信を行う無線送受信を行う無線送受信手段と、を備えた、無線送受信機が提供される。
前記表示制御手段は、前記表示画面に、前記所定の周波数範囲の信号強度の周波数分布をスペクトラム波形表示形式又はウォーターフォール表示形式で表示するように前記表示手段を制御する。
前記表示制御手段は、前記操作位置に対応する周波数が前記表示画面の略中央となるように前記表示手段を制御する。
前記操作は、前記表示画面に対する接触操作である。
前記更新手段は、前記接触操作が開始したら、前記接触操作の前記操作位置に基づいて前記周波数情報記憶手段に記憶されている前記受信周波数情報を更新し、前記接触操作の終了以降、前記接触操作の前記操作位置に基づいて前記周波数情報記憶手段に記憶されている前記送信周波数情報を更新する。
前記更新手段は、前記接触操作が開始したら、前記接触操作の前記操作位置に基づいて前記周波数情報記憶手段に記憶されている前記受信周波数情報を更新し、前記接触操作の終了以降、前記周波数情報記憶手段に記憶されている前記受信周波数情報を前記周波数情報記憶手段に記憶されている前記送信周波数情報に複写する。
前記受信周波数情報を記憶するための補助周波数情報記憶手段を更に有し、前記更新手段は、前記接触操作が開始したら、開始時に前記周波数情報記憶手段に記憶されている前記受信周波数情報を前記補助周波数情報記憶手段に保存し、その後、前記接触操作の前記操作位置に基づいて前記周波数情報記憶手段に記憶されている前記受信周波数情報を更新し、前記接触操作の終了以降、前記接触操作の前記操作位置に基づいて前記周波数情報記憶手段に記憶されている前記送信周波数情報を更新し、その後、前記補助周波数情報記憶手段に記憶されている前記受信周波数情報を用いて前記周波数情報記憶手段に記憶されている前記受信周波数情報を前記接触操作前の状態に復元する。
前記受信周波数情報を記憶するための補助周波数情報記憶手段を更に有し、前記更新手段は、前記接触操作が開始したら、開始時に前記周波数情報記憶手段に記憶されている前記受信周波数情報を前記補助周波数情報記憶手段に保存し、その後、前記接触操作の前記操作位置に基づいて前記周波数情報記憶手段に記憶されている前記受信周波数情報を更新し、前記接触操作の終了以降、前記周波数情報記憶手段に記憶されている前記受信周波数情報を前記送信周波数情報に複写し、その後、前記補助周波数情報記憶手段に記憶されている前記受信周波数情報を用いて前記周波数情報記憶手段に記憶されている前記受信周波数情報を前記接触操作前の状態に復元する。
前記更新手段は、前記接触操作中、前記接触操作の前記操作位置に基づいて前記周波数情報記憶手段に記憶されている前記受信周波数情報を更新する。
本願発明の第２の観点によれば、送信周波数と受信周波数とが同一もしくは異なる運用周波数で送受信を行う無線送受信機の運用周波数設定方法であって、ユーザーが、前記運用周波数を含む所定の周波数範囲の信号強度の周波数分布が表示された表示画面に対して操作するステップと、前記操作の操作位置に対応する周波数に基づいて、前記受信周波数又は前記送信周波数を更新するステップと、
更新された前記受信周波数で受信し、更新された送信周波数で送信を行うステップと、を含む、運用周波数設定方法が提供される。
前記表示画面には、前記所定の周波数範囲の信号強度の周波数分布がスペクトラム波形表示形式又はウォーターフォール表示形式で表示されている。
【発明の効果】
【０００８】
本願発明によれば、無線送受信機における運用周波数の調整の利便性が向上する。
【図面の簡単な説明】
【０００９】
【図１】図1は、無線送受信機の正面図である。（第１実施形態）
【図２】図2は、無線送受信機の機能ブロック図である。（第１実施形態）
【図３】図3は、通常運用時における無線送受信機の制御フローである。（第１実施形態）
【図４】図4は、スプリット運用時における無線送受信機の制御フローである。（第１実施形態）
【図５】図5は、スプリット周波数の設定時における無線送受信機の制御フローである。（第１実施形態）
【図６】図6は、通常運用時における無線送受信機の正面図である。（第１実施形態）
【図７】図7は、周波数調整ツマミによる同調操作の様子を示す無線送受信機の正面図である。（第１実施形態）
【図８】図8は、タッチパネルによる同調操作の様子を示す無線送受信機の正面図である。（第１実施形態）
【図９】図9は、タッチパネルによる同調操作の様子を示す無線送受信機の正面図である。（第１実施形態）
【図１０】図10は、スプリット運用時における無線送受信機の正面図である。（第１実施形態）
【図１１】図11は、テンキーによるスプリット周波数の設定の様子を示す無線送受信機の正面図である。（第１実施形態）
【図１２】図12は、スプリット周波数の設定を確定させた状態を示す無線送受信機の正面図である。（第１実施形態）
【図１３】図13は、テンキーによるスプリット周波数の設定の様子を示す無線送受信機の正面図である。（第１実施形態）
【図１４】図14は、スプリット周波数の設定を確定させた状態を示す無線送受信機の正面図である。（第１実施形態）
【図１５】図15は、ツマミによるスプリット周波数の設定の様子を示す無線送受信機の正面図である。（第１実施形態）
【図１６】図16は、スプリット周波数の設定を確定させた状態を示す無線送受信機の正面図である。（第１実施形態）
【図１７】図17は、タッチパネルによるスプリット周波数の設定の様子を示す無線送受信機の正面図である。（第１実施形態）
【図１８】図18は、スプリット周波数の設定を確定させた状態を示す無線送受信機の正面図である。（第１実施形態）
【図１９】図19は、スプリット運用時における無線送受信機の制御フローである。（第２実施形態）
【図２０】図20は、スプリット周波数の設定時における無線送受信機の制御フローである。（第２実施形態）
【発明を実施するための形態】
【００１０】
（第１実施形態）
以下、図１〜図18を参照して、本願発明の第１実施形態を説明する。
【００１１】
本願明細書において、「通常運用」とは、受信周波数と送信周波数を同一の周波数にして相手局と無線送受信を行う運用を意味する。「スプリット運用」とは、受信周波数と送信周波数を異なる周波数にして相手局と無線送受信を行う運用を意味する。「運用周波数」とは、受信周波数及び送信周波数を意味する。「スプリット周波数」とは、自局が呼び出し局であり相手局がDX局とした場合の、自局の送信周波数を意味する。「スペクトラム波形表示形式」とは、所定の運用周波数を含む所定の周波数範囲の信号強度の周波数分布を、横軸を周波数とし縦軸を信号強度として表示する表示形式を意味する。「ウォーターフォール表示形式」とは、所定の運用周波数を含む所定の周波数範囲の信号強度の周波数分布を、横軸を周波数とし縦軸を時間軸とし信号強度を色彩で表現する表示形式を意味する。なお、横軸と縦軸は適宜入れ替えることができる。
【００１２】
本実施形態の前半では、相手局と通常運用により無線送受信する場合を説明し、後半では、相手局としてのDX局とスプリット運用により無線送受信する場合を説明する。
【００１３】
図１には、本実施形態の無線送受信機１の正面図を示している。無線送受信機１の前面１ａには、表示ユニット２、テンキー３（入力手段）、周波数調整ツマミ４、スプリット周波数設定ボタン５が配置されている。
【００１４】
表示ユニット２は、表示画面６ａを有するLCD６（Liquid Crystal Display）と、タッチパネル７と、を重ね合わせて構成されている。図１に示すように、LCD６の表示画面６ａには、所定の運用周波数を含む所定の周波数範囲の信号強度の周波数分布をスペクトラム波形表示形式で表示するスペクトラム領域８と、信号強度の周波数分布をウォーターフォール表示形式で表示するウォーターフォール領域９と、受信周波数を表示する受信周波数領域１０と、送信周波数を表示する送信周波数領域１１と、が確保されている。なお、図１には、通常運用時の表示例を示しており、従って、受信周波数領域１０に表示される受信周波数と送信周波数領域１１に表示される送信周波数は等しく、送信周波数領域１１は受信周波数領域１０と比べて暗い色調となっている。これは、通常運用時では、受信周波数と送信周波数が常に等しいので、送信周波数領域１１を参照する必要がないからである。
【００１５】
テンキー３は、「１〜９」の何れかの数字情報に相当する１−９数字情報と、「１〜９」の数字情報以外の情報に相当する非１−９数字情報と、を選択的に入力するための入力手段である。テンキー３は、「１〜９」の何れかの数字がキートップに印刷された９つの非ゼロキー１２と、「０」の数字がキートップに印刷された１つのゼロキー１３と、を備えている。何れかの非ゼロキー１２を押下すると、押下された非ゼロキー１２に対応する１−９数字情報が入力される。また、ゼロキー１３を押下すると、非１−９数字情報が入力される。本実施形態において、非１−９数字情報とは、「０」の数字情報としたが、これに代えて、「―」や「＊」などといった記号情報であってもよい。
【００１６】
周波数調整ツマミ４は、受信周波数又は送信周波数を微調整するためのツマミである。本実施形態において、周波数調整ツマミ４を時計回りに回転させると、受信周波数又は送信周波数が高くなる。同様に、周波数調整ツマミ４を反時計回りに回転させると、受信周波数又は送信周波数が低くなる。
【００１７】
スプリット周波数設定ボタン５は、スプリット運用を開始するトリガーとしてのボタンである。スプリット周波数設定ボタン５は、LED（Light Emitting Diode）を内蔵しており、後述する制御部２０の制御によって点灯又は消灯することができるようになっている。
【００１８】
無線送受信機１の上面１ｂには、電源スイッチ１４が配置されている。
【００１９】
次に、図２を参照して、無線送受信機１の電気的構成を説明する。
【００２０】
無線送受信機１は、制御部２０（更新手段）、運用周波数記憶部２１（周波数情報記憶手段）、補助周波数記憶部２２（補助周波数情報記憶手段）、LCD制御部２３（表示制御手段）、LCD制御情報記憶部２４（LCD制御情報記憶手段）、タッチパネル制御部２５、信号強度用受信回路２７、信号強度生成部２８、信号強度記憶部２９、通信用送信回路３０、通信用受信回路３１を更に備えている。無線送受信機１の周辺機器として、マイク３２、スピーカ３３、アンテナ３４が備えられている。本実施形態において、操作検出手段は、タッチパネル７とタッチパネル制御部２５によって実現されている。
【００２１】
運用周波数記憶部２１は、受信周波数に対応する受信周波数情報と、送信周波数に対応する送信周波数情報と、を記憶するための記憶部である。運用周波数記憶部２１は、制御部２０に接続されている。
【００２２】
補助周波数記憶部２２は、運用周波数記憶部２１に記憶されている受信周波数情報を一時的に記憶するための記憶部である。補助周波数記憶部２２は、制御部２０に接続されている。
【００２３】
LCD制御部２３は、LCD６を制御する制御部である。
【００２４】
LCD制御情報記憶部２４は、LCD制御部２３がLCD６を制御する際に参照する制御情報を記憶するための記憶部である。LCD制御情報記憶部２４には、LCD６の表示画面６ａのスペクトラム領域８やウォーターフォール領域９の横軸の上限値及び下限値を記憶する。LCD制御情報記憶部２４は、制御部２０に接続されている。
【００２５】
タッチパネル制御部２５は、タッチパネル７を制御する制御部である。タッチパネル制御部２５は、タッチパネル７からの信号に基づいて、タッチパネル７上におけるユーザーの接触操作の操作位置に対応する座標情報を生成し、生成した座標情報及び操作状況情報を制御部２０に出力する。操作状況情報は、接触操作の開始に関する情報、接触操作中に関する情報、接触操作の終了に関する情報を含む。
【００２６】
信号強度用受信回路２７は、アンテナ３４から信号を受信するための回路である。信号強度用受信回路２７は、アンテナ３４から受信した信号を信号強度生成部２８に出力する。
【００２７】
信号強度生成部２８は、信号強度用受信回路２７から入力された受信信号を解析することで、受信信号の信号強度の周波数分布に対応する周波数分布情報を生成する。信号強度生成部２８は、生成した周波数分布情報を信号強度記憶部２９及びLCD制御部２３に出力する。
【００２８】
信号強度記憶部２９は、信号強度生成部２８から入力された周波数分布情報を記憶する。信号強度記憶部２９は、現在から遡って例えば２０秒前から、現在に至るまでの、複数の周波数分布情報を時系列で記憶する。
【００２９】
LCD制御部２３は、信号強度生成部２８から入力された周波数分布情報に基づいて、スペクトラム領域８に、受信信号の信号強度の周波数分布をスペクトラム波形表示形式で表示するよう、LCD６を制御する。同様に、LCD制御部２３は、信号強度記憶部２９を適宜参照することで、ウォーターフォール領域９に、受信信号の信号強度の周波数分布をウォーターフォール表示形式で表示するよう、LCD６を制御する。
【００３０】
通信用送信回路３０は、運用周波数記憶部２１から出力された送信周波数情報に対応する送信周波数で、アンテナ３４を経由して無線送信するための送信回路である。通信用送信回路３０には、音声入力手段としてのマイク３２が接続されている。
【００３１】
通信用受信回路３１は、運用周波数記憶部２１から出力された受信周波数情報に対応する受信周波数で、アンテナ３４を経由して無線受信するための受信回路である。通信用受信回路３１には、音声出力手段としてのスピーカ３３が接続されている。
【００３２】
テンキー３及び周波数調整ツマミ４、スプリット周波数設定ボタン５は、制御部２０に接続されている。
【００３３】
（作動）
次に、無線送受信機１の作動について説明する。先ず、図３を参照して通常運用時における作動を説明し、次に、図４及び図５を参照してスプリット運用時における作動を説明する。
【００３４】
図３において、電源スイッチ１４を押下することで、無線送受信機１の電源を投入する（S100）。すると、制御部２０は、通常運用時における運用周波数情報f_normalを初期化する（S110）。図６には、無線送受信機１の電源投入直後の初期画面を示している。ここでは、運用周波数情報f_normalは、１MHｚに設定されている。次に、制御部２０は、周波数調整ツマミ４の回転が有ったか判定する（S120）。S120で、周波数調整ツマミ４の回転が無かったと判定した場合は（S120:NO）、制御部２０は、タッチパネル７に対するタップ操作が有ったか判定する（S130）。S130で、タッチパネル７に対するタップ操作が無かったと判定した場合は（S130:NO）、制御部２０は、タッチパネル７に対するタッチ操作が開始したか判定する（S140）。S140で、タッチパネル７に対するタッチ操作が開始しなかったと判定した場合は（S140:NO）、制御部２０は、スプリット周波数設定ボタン５が押下されたか判定する（S150）。S150で、スプリット周波数設定ボタン５が押下されなかったと判定した場合は（S150:NO）、制御部２０は、電源スイッチ１４が押下されたか判定する（S160）。S160で、電源スイッチ１４が押下されたと判定した場合は（S160:YES）、制御部２０は、処理を終了する（S170）。S160で、電源スイッチ１４が押下されなかったと判定した場合は（S160:NO）、制御部２０は、処理をS120に戻す。
【００３５】
S120で、図７に示すように、周波数調整ツマミ４の回転が有ったと判定した場合は（S120:YES）、制御部２０は、周波数調整ツマミ４の回転角θに対応する周波数情報f(θ)を現在の運用周波数情報f_normalに加減算させ、加減算後の運用周波数情報f_normalを運用周波数記憶部２１に記憶させ（S180）、処理をS150に進める。図７の例では、周波数調整ツマミ４を時計回りに若干回転させることで、運用周波数情報f_normalが１MHｚから1.000007MHｚに変更されている。
【００３６】
S130で、図８で符号Tで示すように、タッチパネル７に対するタップ操作が有ったと判定した場合は(S130:YES)、制御部２０は、タッチパネル制御部２５からの座標情報と、LCD制御情報記憶部２４から読み込んで取得した上限値及び下限値と、に基づいてタップ操作の操作位置に対応する周波数情報f_tapを取得し、取得した周波数情報f_tapを運用周波数情報f_normalとして運用周波数記憶部２１に記憶させる（S190）。次に、LCD制御部２３は、更新後の運用周波数情報f_normalに対応する周波数がLCD６の表示画面６ａの略中央となるようにLCD６を制御する（S200）。図９の例では、運用周波数情報f_normalが1.000026MHｚに設定され、1.000026MHｚがLCD６の表示画面６ａの略中央となるようにLCD６の表示内容が紙面左へとスクロールされている。その後、制御部２０は、処理をS150に進める。
【００３７】
S140で、タッチパネル７に対するタッチ操作が開始したと判定した場合は（S140:YES）、制御部２０は、タッチパネル制御部２５からの座標情報と、LCD制御情報記憶部２４から読み込んで取得した上限値及び下限値と、に基づいてタッチ操作の操作位置に対応する周波数情報f_touchを取得し、取得した周波数情報f_touchを運用周波数情報f_normalとして運用周波数記憶部２１に記憶させる（S210）。次に、制御部２０は、タッチパネル７に対するタッチ操作が終了したか判定する（S220）。タッチパネル７に対するタッチ操作が終了していないと判定した場合は（S220:NO）、制御部２０は、処理をS210に戻す。タッチパネル７に対するタッチ操作が終了したと判定した場合は（S220:YES）、制御部２０は、処理をS150に進める。従って、ユーザーがタッチパネル７に対してドラッグ操作をした場合は、運用周波数情報f_normalがドラッグ操作に追従して刻々と変化することになる。なお、必ずしも、タップ操作とタッチ操作によるドラッグ操作との双方が可能でなくてもよい。
【００３８】
S150で、スプリット周波数設定ボタン５が押下されたと判定した場合は、制御部２０は、処理を図４のS300に進める（S150:YES）。ここで、スプリット運用について説明すると、先ず、ユーザーは、タッチパネル７や周波数調整ツマミ４を操作することで、図３に示すように運用周波数を相手局（DX局）の送信周波数に合わせる。このとき、タッチパネル７は同調操作の粗調整に、周波数調整ツマミ４は同調操作の微調整に好適である。そして、相手局の指示に基づいて、自局の送信周波数、即ちスプリット周波数の設定を開始する。従って、スプリット周波数設定ボタン５は、スプリット周波数の設定を開始するタイミングで押下されることになる。
【００３９】
図３のS150で、スプリット周波数設定ボタン５が押下されたと判定したら(S150:YES)、制御部２０は、スプリット周波数設定ボタン５を点灯させる（S300）。次に、制御部２０は、現在の受信周波数情報f_RXを復元用受信周波数情報oldf_RXとして補助周波数記憶部２２に一時的に待避させておく(S310)。この状態で、ユーザーは、現在の受信周波数情報f_RXを変更する（S320）。そして、制御部２０は、スプリット周波数設定ボタン５が再度、押下されたか判定する（S330）。S330で、スプリット周波数設定ボタン５が押下されなかったと判定した場合は（S330:NO）、制御部２０は、処理をS320に戻す。一方、S330で、スプリット周波数設定ボタン５が押下されたと判定した場合は、制御部２０は、現在の受信周波数情報f_RXを送信周波数情報f_TXに複写し（S340）、復元用受信周波数情報oldf_RXを用いて受信周波数情報f_RXを復元し（S350）、スプリット周波数設定ボタン５を消灯させ（S360）、電源スイッチ１４が押下されたか判定する（S370）。そして、電源スイッチ１４が押下されたと判定したら（S370:YES）、制御部２０は、処理を終了する（S380）。
【００４０】
従って、本実施形態では、スプリット周波数を設定するに際し、電波の使用状況を実際に視聴することが簡単にでき、DX局との無線送受信を希望する他局との間での混信を効率良く回避することができる。また、スプリット設定後は、受信周波数が上記視聴前の元の周波数に戻るので、DX局からの呼びかけを聞き逃すこともない。
【００４１】
次に、図４のS320の、受信周波数情報f_RXの変更手順について、図５及び図１０〜図１８を参照して説明する。
【００４２】
図１０には、図４のS310からS320へ処理が移行した時点での状態を示している。図１０に示すように、S320において、スプリット周波数設定ボタン５は点灯した状態となっている。
【００４３】
図５において、受信周波数情報f_RXの変更が開始すると(S400)、制御部２０は、何れかの非ゼロキー１２が押下されたか判定する（S410）。S410で、何れの非ゼロキー１２も押下されていないと判定した場合は（S410:NO）、制御部２０は、ゼロキー１３が押下されたか判定する（S420）。S420で、ゼロキー１３が押下されていないと判定した場合は（S420:NO）、制御部２０は、周波数調整ツマミ４の回転が有ったか判定する（S430）。S430で、周波数調整ツマミ４の回転が無かったと判定した場合は（S430:NO）、制御部２０は、タッチパネル７に対するタップ操作が有ったか判定する（S440）。S440で、タッチパネル７に対するタップ操作が無かったと判定した場合は（S440:NO）、制御部２０は、タッチパネル７に対するタッチ操作が開始したか判定する（S450）。S450で、タッチパネル７に対するタッチ操作が開始しなかったと判定した場合は（S450:NO）、制御部２０は、処理を図４のS330に進める(S460)。
【００４４】
S410で、図１１に示すように、何れかの非ゼロキー１２が押下されたと判定した場合は（S410:YES）、制御部２０は、押下された非ゼロキー１２に対応する非ゼロ値を受信周波数情報f_RXに加算し、加算後の受信周波数情報f_RXを運用周波数記憶部２１に記憶させ（S470）、処理をS460に進める。図１１の例では、「５」が印刷された非ゼロキー１２が押下されているので、制御部２０は、受信周波数情報f_RXに5×10＝50Hzを加算している。なお、「５」が印刷された非ゼロキー１２が押下された際に、制御部２０が、受信周波数情報f_RXに、5Hzを加算するか、50Hzを加算するか、500Hzを加算するか、即ち受信周波数情報f_RXのどの桁に「５」を加算するかは適宜選択可能である。この状態で、スプリット周波数設定ボタン５が押下されると（S330:YES）、制御部２０は、図１２に示すように、現在の受信周波数情報f_RX（1.000050MHz）を送信周波数情報f_TXに複写し（S340）、復元用受信周波数情報oldf_RX（1.000000MHｚ）を用いて受信周波数情報f_RXを復元する（S350）。図１２において、スペクトラム領域８の細い縦棒５０はスプリット周波数を示し、太い縦棒５１は受信周波数を示している。
【００４５】
S420で、図１３に示すように、ゼロキー１３が押下されたと判定した場合は（S420:YES）、制御部２０は、非ゼロキー１２の押下を待つ（S480）。何れかの非ゼロキー１２が押下されると（S480）、制御部２０は、押下された非ゼロキー１２に対応する非ゼロ値を受信周波数情報f_RXから減算し、減算後の受信周波数情報f_RXを運用周波数記憶部２１に記憶させ（S490）、処理をS460に進める。図１３の例では、「０」が印刷されたゼロキー１３が押下された後に、「５」が印刷された非ゼロキー１２が押下されているので、制御部２０は、受信周波数情報f_RXから5×10＝50Hzを減算している。なお、「５」が印刷された非ゼロキー１２が押下された際に、制御部２０が、受信周波数情報f_RXから、5Hzを減算するか、50Hzを減算するか、500Hzを減算するか、即ち受信周波数情報f_RXのどの桁に「５」を加算するかは適宜選択可能である。この状態で、スプリット周波数設定ボタン５が押下されると（S330:YES）、制御部２０は、図１４に示すように、現在の受信周波数情報f_RX（0.999950MHz）を送信周波数情報f_TXに複写し（S340）、復元用受信周波数情報oldf_RX（1.000000MHｚ）を用いて受信周波数情報f_RXを復元する（S350）。
【００４６】
S430で、図１５に示すように、周波数調整ツマミ４の回転が有ったと判定した場合は（S430:YES）、制御部２０は、周波数調整ツマミ４の回転角θに対応する周波数情報f(θ)を現在の受信周波数情報f_RXに加減算させ、加減算後の受信周波数情報f_RXを運用周波数記憶部２１に記憶させ（S500）、処理をS460に進める。図15の例では、周波数調整ツマミ４を時計回りに若干回転させることで、受信周波数情報f_RXが１MHｚから1.000007MHｚに変更されている。この状態で、スプリット周波数設定ボタン５が押下されると（S330:YES）、制御部２０は、図１６に示すように、現在の受信周波数情報f_RX（1.000007MHz）を送信周波数情報f_TXに複写し（S340）、復元用受信周波数情報oldf_RX（1.000000MHｚ）を用いて受信周波数情報f_RXを復元する（S350）。
【００４７】
S440で、図１７で符号Tで示すように、タッチパネル７に対するタップ操作が有ったか判定した場合は(S440:YES)、制御部２０は、タッチパネル制御部２５からの座標情報と、LCD制御情報記憶部２４から読み込んで取得した上限値及び下限値と、に基づいてタップ操作の操作位置に対応する周波数情報f_tapを取得し、取得した周波数情報f_tapを受信周波数情報f_RXとして運用周波数記憶部２１に記憶させ（S510）、処理をS460に進める。図17の例では、受信周波数情報f_RXが１MHｚから0.999962MHｚに変更されている。この状態で、スプリット周波数設定ボタン５が押下されると（S330:YES）、制御部２０は、図18に示すように、現在の受信周波数情報f_RX（0.999962MHz）を送信周波数情報f_TXに複写し（S340）、復元用受信周波数情報oldf_RX（1.000000MHｚ）を用いて受信周波数情報f_RXを復元する（S350）。
【００４８】
S450で、タッチパネル７に対するタッチ操作が開始したと判定した場合は（S450:YES）、制御部２０は、タッチパネル制御部２５からの座標情報と、LCD制御情報記憶部２４から読み込んで取得した上限値及び下限値と、に基づいてタッチ操作の操作位置に対応する周波数情報f_touchを取得し、取得した周波数情報f_touchを受信周波数情報f_RXとして運用周波数記憶部２１に記憶させる（S520）。次に、制御部２０は、タッチパネル７に対するタッチ操作が終了したか判定する（S530）。タッチパネル７に対するタッチ操作が終了していないと判定した場合は（S530:NO）、制御部２０は、処理をS520に戻す。タッチパネル７に対するタッチ操作が終了したと判定した場合は（S530:YES）、制御部２０は、処理をS460に進める。従って、ユーザーがタッチパネル７に対してドラッグ操作をした場合は、受信周波数情報f_RXがドラッグ操作に追従して刻々と変化することになる。
【００４９】
以上に、本願発明の第１実施形態を説明した。上記第１実施形態は、以下の特長を有している。
【００５０】
（１−１）無線送受信機１は、表示画面６ａを有するLCD６（表示手段）と、表示画面６ａに、受信した信号の信号強度の周波数分布を表示するようにLCD６を制御するLCD制御部２３（表示制御手段）と、表示画面６ａに対するユーザーの操作を検出するタッチパネル７及びタッチパネル制御部２５（操作検出手段）と、受信周波数に対応する受信周波数情報と、送信周波数に対応する送信周波数情報と、を記憶する運用周波数記憶部２１（周波数情報記憶手段）と、タッチパネル７及びタッチパネル制御部２５によって検出された操作の操作位置に対応する周波数情報に基づいて、運用周波数記憶部２１に記憶されている受信周波数情報又は運用周波数記憶部２１に記憶されている送信周波数情報を更新する制御部２０（更新手段）と、運用周波数記憶部２１に記憶されている受信周波数情報及び運用周波数記憶部２１に記憶されている送信周波数情報に基づいて無線送受信を行う通信用送信回路３０及び通信用受信回路３１（無線送受信手段）と、を備える。以上の構成によれば、無線送受信機１における運用周波数の調整の利便性が向上する。
【００５１】
（１−２）また、LCD制御部２３は、表示画面６ａに、周波数分布をスペクトラム波形表示形式又はウォーターフォール表示形式で表示するようにLCD６を制御する。特に、周波数分布をウォーターフォール表示形式で表示する場合は、過去の電波状況を把握できるので、目的に応じた設定が可能となる。
【００５２】
つまり、タップ操作及びタッチ操作は、スペクトラム領域８だけでなく、ウォーターフォール領域９でも可能である。半二重方式の交信である場合には現時点で信号を検出していない場合もあり、現時点での信号が検出できない周波数であっても過去において信号を検出した周波数を選択することが可能となる。
【００５３】
（１−３）また、LCD制御部２３は、操作位置に対応する周波数が表示画面６ａの略中央となるようにLCD６を制御する。
【００５４】
（１−４）また、LCD６に対するユーザーの操作は、表示画面６ａに対する接触操作である。
【００５５】
（１−５，１−６）また、制御部２０は、接触操作が開始したら、接触操作の操作位置に基づいて運用周波数記憶部２１に記憶されている受信周波数情報を更新し、接触操作の終了以降、スプリット周波数設定ボタン５が押下されたら、運用周波数記憶部２１に記憶されている受信周波数情報を運用周波数記憶部２１に記憶されている送信周波数情報に複写する。以上の構成によれば、スプリット運用において送信周波数を設定するに際し、電波の使用状況を実際に視聴することが簡単にできる。
【００５６】
また、制御部２０は、接触操作が開始したら、接触操作の操作位置に基づいて運用周波数記憶部２１に記憶されている受信周波数情報を更新し、接触操作の終了以降、スプリット周波数設定ボタン５が押下されたら、運用周波数記憶部２１に記憶されている受信周波数情報を運用周波数記憶部２１に記憶されている送信周波数情報に複写することに代えて、接触操作の操作位置に基づいて運用周波数記憶部２１に記憶されている送信周波数情報を更新するようにしてもよい。
【００５７】
（１−７、１−８）また、無線送受信機１は、受信周波数情報を記憶するための補助周波数記憶部２２（補助周波数情報記憶手段）を更に有する。制御部２０は、接触操作が開始したら、開始時に運用周波数記憶部２１に記憶されている受信周波数情報を補助周波数記憶部２２に保存し、その後、接触操作の操作位置に基づいて運用周波数記憶部２１に記憶されている受信周波数情報を更新し、接触操作の終了以降、スプリット周波数設定ボタン５が押下されたら、運用周波数記憶部２１に記憶されている受信周波数情報を送信周波数情報に複写し、その後、補助周波数記憶部２２に記憶されている受信周波数情報を用いて運用周波数記憶部２１に記憶されている受信周波数情報を接触操作前の状態に復元する。以上の構成によれば、送信周波数の設定後、受信周波数を手動で復元する手間が省ける。
【００５８】
なお、制御部２０は、接触操作の終了以降、スプリット周波数設定ボタン５が押下されたら、運用周波数記憶部２１に記憶されている受信周波数情報を送信周波数情報に複写し、その後、補助周波数記憶部２２に記憶されている受信周波数情報を用いて運用周波数記憶部２１に記憶されている受信周波数情報を接触操作前の状態に復元することに代えて、接触操作の操作位置に基づいて運用周波数記憶部２１に記憶されている送信周波数情報を更新し、その後、補助周波数記憶部２２に記憶されている受信周波数情報を用いて運用周波数記憶部２１に記憶されている受信周波数情報を接触操作前の状態に復元するようにしてもよい。
【００５９】
（１−９）また、制御部２０は、接触操作中、接触操作の操作位置に基づいて運用周波数記憶部２１に記憶されている受信周波数情報を更新する。以上の構成によれば、受信周波数がドラッグ操作に追従して刻々と変化するようになる。
【００６０】
（１−１０）また、ユーザーが、受信した信号の信号強度の周波数分布が表示された表示画面６ａに対して操作するステップ（S130、S140）と、操作の操作位置に対応する周波数情報に基づいて、受信周波数に対応する受信周波数情報を更新するステップ（S190、S210）と、受信周波数情報に基づいて無線送受信を行うステップと、を含む。
【００６１】
（２−１）無線送受信機１は、受信周波数と、受信周波数と周波数が異なる送信周波数と、を用いて無線送受信を行う。無線送受信機１は、受信周波数に対応する受信周波数情報と、送信周波数に対応する送信周波数情報と、を記憶する運用周波数記憶部２１と、「１〜９」の何れかの数字情報に相当する１−９数字情報が選択的に入力されるテンキー３（入力手段）と、運用周波数記憶部２１に記憶されている受信周波数情報と、テンキー３によって入力された１−９数字情報と、に基づいて、運用周波数記憶部２１に記憶されている送信周波数情報を更新する制御部２０と、運用周波数記憶部２１に記憶されている受信周波数及び運用周波数記憶部２１に記憶されている送信周波数で無線送受信を行う通信用送信回路３０及び通信用受信回路３１（無線送受信手段）と、を備える。以上の構成によれば、スプリット運用において、呼び出し局によるスプリット周波数の設定が簡単にできる。
【００６２】
（２−２）また、制御部２０は、運用周波数記憶部２１に記憶されている受信周波数情報f_RXに、テンキー３によって入力された１−９数字情報に相当する数字情報を加算して得た周波数情報で送信周波数情報を更新する。
【００６３】
（２−３）また、テンキー３は、「１〜９」の数字情報以外の情報に相当する非１−９数字情報を入力可能に構成されている。制御部２０は、テンキー３によって非１−９数字情報が入力され、その後に、１−９数字情報が入力された場合は、運用周波数記憶部２１に記憶されている受信周波数情報に、テンキー３によって入力された１−９数字情報に相当する数字情報を減算して得た周波数情報で送信周波数情報を更新する。以上の構成によれば、受信周波数情報f_RXよりも低い周波数を簡単な操作で前記送信周波数として設定することができる。
【００６４】
（２−４）また、非１−９数字情報は、「０」の数字情報を含む。
【００６５】
（２−５）また、受信周波数と、受信周波数と周波数が異なる送信周波数と、を用いて無線送受信を行う無線送受信機１における、送信周波数の設定方法は、「１〜９」の何れかの数字情報に相当する１−９数字情報を選択的に入力する第１のステップ（S410）と、受信周波数情報f_RXと、入力された１−９数字情報と、に基づいて、送信周波数情報f_TXを設定する第２のステップ（S470、S340）と、を含む。以上の方法によれば、呼び出し局によるスプリット周波数の設定を簡単に行うことができる。
【００６６】
（２−６）第２のステップにおいて、受信周波数情報f_RXに、入力された１−９数字情報に相当する数字情報を加算して得た周波数で送信周波数情報f_TXを設定する。
【００６７】
（２−７）第１のステップにおいて、「１〜９」の何れかの数字情報以外の情報に相当する非１−９数字情報を入力し（S420）、その後に、前記１−９数字情報を入力し（S480）、
２のステップにおいて、受信周波数情報f_RXに、入力された１−９数字情報に相当する数字情報を減算して得た周波数で送信周波数情報f_TXを設定する（S490、S340）。以上の方法によれば、受信周波数情報f_RXよりも低い周波数を簡単な操作で送信周波数情報f_TXとして設定することができる。
【００６８】
（２−８）非１−９数字情報は、「０」の数字情報を含む。
【００６９】
（第２実施形態）
次に、図１９及び図２０を参照しつつ、本願発明の第２実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００７０】
本実施形態では、S320で受信周波数情報f_RXが変更された際、S330でスプリット周波数設定ボタン５の押下が確認されたら、受信周波数情報f_RXの変更を確定して、S340以降の処理を実行するようにしていた。しかし、これに代えて、本実施形態では、図１９及び図２０に示すように、S470、S490、S510、S530の処理が完了したら、スプリット周波数設定ボタン５が押下されていなくても、受信周波数情報f_RXの変更を確定して、S340以降の処理を実行するようにしている。ただし、LCD６に対するタップ操作はあくまで粗調整の位置付けであるから、S500の処理が完了したら、上記第１実施形態と同様、制御部２０は、処理をS460に進める。
【符号の説明】
【００７１】
１  無線送受信機
２  表示ユニット
３  テンキー
４  周波数調整ツマミ
５  スプリット周波数設定ボタン
６  LCD
７  タッチパネル
２０  制御部
２１  運用周波数記憶部
２２  補助周波数記憶部
２３  LCD制御部
【図１】
2014036374.tif 000003
【図２】
2014036374.tif 000004
【図３】
2014036374.tif 000005
【図４】
2014036374.tif 000006
【図５】
2014036374.tif 000007
【図６】
2014036374.tif 000008
【図７】
2014036374.tif 000009
【図８】
2014036374.tif 000010
【図９】
2014036374.tif 000011
【図１０】
2014036374.tif 000012
【図１１】
2014036374.tif 000013
【図１２】
2014036374.tif 000014
【図１３】
2014036374.tif 000015
【図１４】
2014036374.tif 000016
【図１５】
2014036374.tif 000017
【図１６】
2014036374.tif 000018
【図１７】
2014036374.tif 000019
【図１８】
2014036374.tif 000020
【図１９】
2014036374.tif 000021
【図２０】
2014036374.tif 000022